(57)【要約】【課題】【解決手段】患部対応部４と、患部対応部４を囲むように位置して粘着性を有する粘着部３と、患部対応部４および粘着部３を覆いかつ剥離可能な保護テープ５と、を有してなる救急絆創膏である。そして、患部対応部４は該患部対応部４の中心部分４ｃが粘着部３を含めた形状の絆創膏本体２の絆創膏中心部２ｃから偏倚した位置に配置されてなる救急絆創膏１である。【選択図】      図１
2005021542.tif 000002
【特許請求の範囲】
【請求項１】
患部対応部と、
前記患部対応部を囲むように位置して粘着性を有する粘着部と、
前記患部対応部および前記粘着部を覆いかつ剥離可能な保護テープと、を有してなる救急絆創膏であって、
前記患部対応部は該患部対応部の中心部分が前記粘着部を含めた形状の絆創膏本体の絆創膏中心部から偏倚した位置に配置されてなる救急絆創膏。
【請求項２】
前記絆創膏本体が略長方形に構成されており、該本体長手方向において前記患部対応部を挟む位置の両側の前記粘着部の一方側が他方側の面積よりも小さく構成された請求項１の救急絆創膏。
【請求項３】
患部対応部と、
前記患部対応部を囲むように位置して粘着性を有する粘着部と、
前記患部対応部および前記粘着部を覆いかつ剥離可能な保護テープと、を有してなる救急絆創膏であって、
前記保護テープが複数に分割可能に構成されており、分割位置が前記患部対応部の中心位置からずれている救急絆創膏。
【請求項４】
前記分割位置が前記患部対応部の縁部に対応するように構成されている請求項３に記載の救急絆創膏。
【請求項５】
前記分割位置が前記患部対応部から外れた部位に位置するように構成されている請求項３に記載の救急絆創膏。
【請求項６】
前記粘着部を含めた形状の絆創膏本体が略長方形に構成された請求項３〜請求項５の何れかに記載の救急絆創膏。
【請求項７】
請求項１〜６の何れかに記載の救急絆創膏において、
前記保護テープが大小２枚設けられ、その内小さい方の前記保護テープの一部分が大きい前記保護テープの上に重なり合うように構成された救急絆創膏。
【発明の詳細な説明】
【０００１】
【発明の属する技術分野】
本発明は、救急絆創膏に関するものであって、特に、擦り傷や切り傷の傷口対応部を備え、かつこの傷口対応部を覆う保護シールを具備する救急絆創膏に関するものである。
【０００２】
【従来の技術】
従来から、一般家庭等において、ちょっとした擦り傷や切り傷に当てて貼り付けて使用する救急絆創膏が広く多様されている。
この種の救急絆創膏について図６を参照して説明する。
図６に示すように、従来の救急絆創膏６１は、患部対応部６４（傷当てパッド）、この患部対応部６４を囲むように位置しているとともに粘着性を有する粘着部６３、さらに患部対応部６４および粘着部６３を覆うことによりこれらを保護し且つ剥離することができる保護テープ６５を有した構成である。
【０００３】
この救急絆創膏６１において、患部対応部６４がテープの長手方向の中央部に位置しており、また、保護テープについても、テープ長手方向の中央部からその左右を二分するように剥がす構造になっている。
このような構成であることから、この救急絆創膏６１を傷口に貼る際に、例えば、先ず、中央の患部対応部６４を少し剥がして（めくり上げるようにして）、この患部対応部６４を傷口に当てがい、引き続いて保護テープ６５を剥がしながら粘着部６３を傷口周囲に貼り付けるようにして固定する。
【０００４】
救急絆創膏６４の使用形態として、上述のごとき貼り付け動作は、両手が使えるときは、比較的容易に行うことが出来る。
しかしながら、片手しか使えない場合（一方の手指や腕に貼り付ける場合）においては、他の人に貼ってもらうか、さもなければ、自分で片手にてうまく取り扱って貼り付けるようにする。
すなわち、自分一人で片手にて貼り付けるときは、例えば、予め一方の保護テープ６５を剥がして、この剥がした一端部分を患部の脇に貼り付けるようにし、その後、残りの保護テープ６５を剥がしつつ貼り付けるか、或いは、保護テープ６５を剥がしてから貼り付けるようにしていた。
【０００５】
このような従来の使用形態は、片手にて貼り付ける場合は、何れの場合も、ある程度の指先の器用さを必要とし、うまく貼り付けることが難しい。
したがって、片手にて貼り付け操作をした場合、貼り付けが上手く行かずに、粘着部６３が所望する位置に貼り付かなかったり、また、粘着部６３の粘着部分同士が互いに貼り付き合ったりして、酷いときには、救急絆創膏６１自体が使えなくなったりする場合もあった。
【０００６】
一方、保護テープ６５の分割位置９０（分割ライン）は、通常、患部対応部６４の略中心部を通るように位置している。なお、この分割位置９０は、左右の保護テープ６５同士が重なり合って適宜幅を有している場合もある。
したがって、救急絆創膏６１を使用するときに、一方の保護テープ６５を剥がしたときに、患部対応部６４が半分程度露出することになる。この結果、例えば、片手しか使用出来ない状態において、貼り付け操作を行うときに、残りの保護テープ６５が患部対応部６４を覆っている部分を掴むようにするが、過って、患部対応部６４の露出している部分を手指にて直接触ってしまうことがある。
これは、救急絆創膏６１の本来の目的からすれば、衛生上望ましいことではなく、患部対応部６４が患部に触れるまでは、その初期の良好な衛生性を確保することが望ましい。
【０００７】
【特許文献１】
特開平２０００−３００６００
【０００８】
【発明が解決しようとする課題】
本発明は、上記問題点に鑑みてなされたものであり、その第１の目的は、片手でも貼り付けが容易で、特に、指先等に容易に貼り付けることのでき救急絆創膏を提供することにある。
また、第２の目的は、貼り付け操作のときに、患部対応部に手指等が触れることが回避できる救急絆創膏を提供することにある。
【０００９】
【課題を解決するための手段】
上記目的を達成するために、本発明にかかる請求項１は、患部対応部と、
前記患部対応部を囲むように位置して粘着性を有する粘着部と、
前記患部対応部および前記粘着部を覆いかつ剥離可能な保護テープと、を有してなる救急絆創膏であって、
前記患部対応部は該患部対応部の中心部分が前記粘着部を含めた形状の絆創膏本体の絆創膏中心部から偏倚した位置に配置されてなる救急絆創膏である。
【００１０】
このような構成によれば、患部対応部において、その患部対応部の中心部分が粘着部を含めた形状の絆創膏本体の絆創膏中心部から偏った位置に配置されていることにより、患部対応部の偏った側の粘着部の大きさを変えることができ、貼り付け箇所等に幅広く対応できて操作性の改善が可能な救急絆創膏を提供することができる。
【００１１】
本発明にかかる請求項２は、前記絆創膏本体が略長方形に構成されており、該本体長手方向において前記患部対応部を挟む位置の両側の前記粘着部の一方側が他方側の面積よりも小さく構成された救急絆創膏である。
このような構成によれば、患部対応部の偏った側の粘着部は、その幅は比較的小さく構成されることになり、粘着部が垂れるような状態が回避されて、片手にて患部近傍に貼り付けるときの操作性が向上する。
【００１２】
本発明にかかる請求項は、患部対応部と、前記患部対応部を囲むように位置して粘着性を有する粘着部と、前記患部対応部および前記粘着部を覆いかつ剥離可能な保護テープと、を有してなる救急絆創膏であって、
前記保護テープが複数に分割可能に構成されており、分割位置が前記患部対応部の中心位置からずれている救急絆創膏である。
【００１３】
このように構成によれば、救急絆創膏を使用するときに、分割位置が前記患部対応部の中心位置からずれていることにより、一方の保護テープを剥がしたときに、患部対応部の露出部分を少なくすることができる。そして、片手しか使用出来ない状態であっても、貼り付け操作を行うときに、残りの保護テープが患部対応部を覆っている部分を掴むように保持でき、把持部分を気にすることなく貼り付け動作に移行できる。
したがって、救急絆創膏の本来の目的からして、衛生上望ましいく、患部対応部が患部に触れるまで、その初期の良好な衛生性を確保することが容易となる。
【００１４】
本発明にかかる請求項４は、前記分割位置が前記患部対応部の縁部に対応するように構成されている救急絆創膏である。
【００１５】
このように、前記分割位置が前記患部対応部の縁部に対応するように構成されていることで、貼り付け操作の初期において（片側を貼り付ける操作まで）、患部対応部は保護テープによって覆われており、患部対応部の衛生性確保を極めて高くすることができる。
【００１６】
本発明にかかる請求項５は、前記分割位置が前記患部対応部から外れた部位に位置するように構成されている救急絆創膏である。
【００１７】
このように、前記分割位置が前記患部対応部の縁部に対応するように構成されていることで、貼り付け操作の初期において（片側を貼り付ける操作まで）、患部対応部は保護テープによって覆われており、また、保護テープはその剥がし始める側も粘着部に貼り付いた状態であるので、患部対応部の衛生性確保を極めて高くすることができる。
【００１８】
本発明にかかる請求項６は、前記粘着部３を含めた形状の絆創膏本体が略長方形に構成された救急絆創膏である。
このように、救急絆創膏が長方形に構成されていることにより、例えば指などに巻き付けることが容易である。
【００１９】
本発明にかかる請求項７に記載の救急絆創膏は、前記保護テープが大小２枚設けられ、その内小さい方の前記保護テープの一部分が大きい前記保護テープの上に重なり合うように構成されている。
このように、小さい方の保護テープと、大きい方の保護テープとの大小２枚が設けられ、その内小さい方の保護テープの一部分が重なり部として、大きい方の保護テープの上に重なり合うように構成されているので、保護テープを剥がすときは、ごく自然に小さい方の保護テープを先に剥がすことができる。
【００２０】
【発明の実施の形態】
以下、本発明にかかる実施形態について図面を参照して詳細に説明する。
図１は、本発明にかかる救急絆創膏の第１実施形態を示す斜視図である。また、図２は、図１に示す救急絆創膏における保護テープを一部剥がした状態を示す斜視図である。
図３は、図２に示す救急絆創膏を貼り付ける操作の始めの段階を示す斜視図である。図４は、図２に示す救急絆創膏を貼り付ける操作の中段を示す斜視図である。図５は、本発明にかかる救急絆創膏の第２実施形態を示す斜視図である。
【００２１】
（第１実施形態）
本実施形態においては、図１に示すように、救急絆創膏１は、絆創膏本体２が長方形に構成されており、適宜厚さの布生地に薬剤が保持された患部対応部４と、患部対応部４を囲むように位置して粘着性を有するとともに適宜伸縮性を有する合成樹脂製または布製の粘着部３と、患部対応部４および粘着部３を覆いかつ剥離可能な合成樹脂製の保護テープ５とを有してなる。
なお、この救急絆創膏１は、その衛生性を良好に維持するために、図示しない保護袋や包みシートによって包まれており、この包みシート等から取り出した状態が図１の状態である。
【００２２】
また、上述の患部対応部４は、この患部対応部４の中心部分４ｃが粘着部３を含めた形状の絆創膏本体２における絆創膏中心部２ｃから偏った位置に配置されている。
このように、患部対応部４において、その患部対応部４の中心部分４ｃが粘着部３を含めた形状の絆創膏本体２の絆創膏中心部２ｃから偏った位置に配置されている。このことによって、患部対応部４の偏った側の粘着部３の大きさを小さく、反対側を大きくすることができる。
したがって、貼り付け始めの取り扱いにおいて、小さい幅の粘着部３Ａは、貼り付け箇所に貼り付けるときに、小さい幅が故に該粘着部３Ａの実質的な剛性が高く維持され、絆創膏本体２を持った場合（患部対応部４付近を持った場合）に、例えば、ダラリと垂れ下がるような状態がなくピンと張った状態にできるので、貼り付け操作性が向上する。
【００２３】
本実施形態においては、絆創膏本体２が略長方形に構成されている。この構成によって、本体長手方向において患部対応部４を挟む位置の両側の粘着部３Ａ、３Ｂの一方側（粘着部３Ａ）が他方側（粘着部３Ｂ）の面積よりも小さく構成されている。
このように患部対応部４の偏った側の粘着部３Ａは、その幅Ｗは比較的小さく構成されているので、貼り付け操作に際して、例えば、粘着部３Ａを覆う保護テープ５Ａを剥がして貼り付けるまでの間において、上記したように、粘着部３が垂れるような状態が回避されて、片手にて患部近傍に貼り付けるときの操作性が良くなる。
【００２４】
本実施形態においては、分割位置１０は患部対応部４の縁部４Ｅに接近した位置で該縁部４Ｅに沿うように対応して構成されている。ここで、分割位置１０は、図示では線状に構成されているが、保護テープ５Ａ，５Ｂが重なり合う適宜幅を有する構成であってもよい。
このように、分割位置１０が患部対応部４の縁部４Ｅに対応するように構成されていることで、救急絆創膏１の片側を貼り付ける操作までの貼付け操作初期において、患部対応部４が保護テープ５によって覆われている。したがって、患部対応部４に手指が接触することが殆どない。
【００２５】
以下、本実施形態の救急絆創膏１の貼り付け操作について説明する。
図１に示す救急絆創膏１を、手の指に貼り付けるとき、先ず、図２に示すように、小さい方の保護テープ５Ａを剥がす（例えば矢印Ａ方向に剥がす）。この操作によって、粘着部３Ａが露出すると共に、患部対応部４が若干見える程度になり、その縁部４Ｅが露出する。
【００２６】
この状態にするときは、図２に示すように、剥がした保護テープ５Ａとは反対側の保護テープ５Ｂおよびその反対側（救急絆創膏１の表側）に指２０をあてがうように（つまむように）して行う。
そして、このつまんだ状態で、救急絆創膏１を保持して、露出した粘着部３Ａを患部近傍に貼り付ける。このとき、粘着部３Ａは、その幅が比較的狭い幅Ｗに構成されているので、この粘着部３Ａが垂れ下がらずにしっかりと伸びている。
【００２７】
その後、図３に示すように、必要に応じて若干引っ張りながら、また、粘着部部分に比べて剛性の高い患部対応部４をつまむように保持した状態から、該患部対応部４を患部に当てるように少し反り返す（絆創膏表面側に曲げる）ようにする。このことにより、保護テープ５Ｂが図３に示すように絆創膏本体２から離れるように先端が剥離（矢印Ｂ方向に分離）し始める。
このように、比較的剛性の高い患部対応部４を押さえるように持つことができることで、その取り扱い性が単に向上するだけでなく、剥がし残っている保護テープ５Ｂの剥がし始めのときに、その先端部分５Ｅが患部対応部４からある程度離れたあとで掴むようにするので、指先が患部対応部４に触れることがない。
【００２８】
その後、この剥離した保護テープ５Ｂの先端をつまんで引っ張るようにすることにより、該保護テープ５Ｂをを剥がしながら粘着部３Ｂを指に巻き付けるように貼り付けるか、あるいは、図４に示すように、粘着部３Ｂを剥がしてから、その後、粘着部３Ａを巻き付ける（矢印Ｄ方向）。
【００２９】
（第２実施形態）
本発明にかかる第２実施形態を、図５を参照して説明する。
本実施形態に示す救急絆創膏５１は、前記第１実施形態と同様に、患部対応部５４と、患部対応部５４を囲むように位置して粘着性を有する粘着部５３と、患部対応部５４および粘着部５３を覆いかつ剥離可能な保護テープ５５とを有してなっている。
そして、保護テープ５５は、分割部位置７０の所から２分割可能に構成されている。さらにこの分割位置７０が患部対応部５４の中心位置からずれている構成である。
【００３０】
このように分割位置７０が患部対応部５４の中心位置５２Ｃから外れていることにより、救急絆創膏５１を使用するときに、一方の保護テープ５５Ａを剥がしたときに、患部対応部５４の露出部分を少なくすることができる。
そして、片手しか使用出来ない状態であっても、貼り付け操作を行うときに、残りの保護テープ５５Ｂが患部対応部５４を覆っている部分を掴むように保持でき、指による把持部分を気にすることなく貼り付け動作に移行できる。
したがって、救急絆創膏５１の本来の目的、すなわち、患部対応部５４が患部の傷口等に触れるまで、該患部対応部５４を衛生上望ましい状態に確保することができる。
【００３１】
特に、本実施形態の如く、分割位置７０が患部対応部５４から外れた部位に位置するように構成されていることで、貼り付け操作の初期において（保護テープ５５Ａを剥がした側を貼り付ける操作までの間）、患部対応部５４は保護テープ５５Ｂによって覆われている。
また、保護テープ５５Ｂはその剥がし始める側も粘着部３に若干貼り付いた状態であり、かつ図中の上下側の粘着部５３Ｃ，５３Ｄにも貼りついた状態であるので、患部対応部５４の衛生性確保は極めて高くなっている。
【００３２】
そして、粘着部５３Ａを患部の近傍に貼りつけた後は、前述の第１実施形態の図３に示し取り扱いと同様に、たの部分に比べて剛性の比較的高い患部対応部５４をつまむように保持して、該患部対応部５４を患部に当てるように少し反り返す（絆創膏表面側に曲げる）ようにすることにより、保護テープ５５Ｂは粘着部５３Ａ側に若干貼りついていた部分が剥がれる（第１実施形態の図３に示す状態と同じ状態）。
この剥がれた保護テープ５５Ｂの先端部分をつまむようにして全体を貼りつけることができる。
【００３３】
本第２実施形態における絆創膏本体５２は、粘着部５３（５３Ａ，５３Ｂ，５３Ｃ，５３Ｄ）を含めた形状が略正方形であるが、このような形状に限るものではなく、略長方形、その他多角形、更には円形、楕円形の救急絆創膏に適用できるものである。
【００３４】
（第３実施形態）
本発明にかかる第３実施形態を、図７を参照して説明する。
なお、図７においては、第１実施形態と同じ構成要素には同符号を付して説明を省略する。
本実施形態における救急絆創膏７１は、小さい方の保護テープ５Ａと、大きい方の保護テープ５Ｂとの大小２枚が設けられている。そして、その内小さい方の保護テープ５Ａの一部分が、適宜幅Ｗ２を有して重なり部７８として、大きい方の保護テープ５Ｂの上に重なり合うように構成されている。したがって、保護テープを剥がすときは、小さい方の保護テープ５Ａを先に剥がすことが自然にできる。また、小さい方の保護テープ５Ａを剥がした後においては、大きい方の保護テープ５Ｂが患部対応部４を略覆うようになっている。その後の使い勝手については、前掲の実施形態と同様である。
【００３４】
【発明の効果】
以上述べたように、本発明によれば、患部対応部が救急絆創膏の一方向において中心からずれた箇所（より好ましくは一方端部）に位置していることにより、例えば、一端側（粘着分が狭い側）のほぼテープを剥がして、片手にて傷口に対応するようにあてがって一端を容易に貼り付けることができる。また、一端を貼りつけた後は、残りの保護テープを剥がすようにして、片手にて操作することができ、極めて使い勝手のよい救急絆創膏を提供することができる。
【００３５】
また、保護テープの分割部分が患部対応部の中心位置から大きく外れている構造であると、例えば、一方の保護テープを剥がしても、残りの保護テープが患部対応部を覆っているので、片手に貼り付けるときに、患部対応部を手指にて直接触ることなく貼り付けができ、片手操作性の向上だけでなく、衛生上も好ましい救急絆創膏を提供することができる。
【００３６】
また、本発明にかかる救急絆創膏においては、小さい方の保護テープと、大きい方の保護テープとの大小２枚が設けられている場合には、その内小さい方の保護テープの一部分が、適宜幅を有して重なり部として、大きい方の保護テープの上に重なり合うように構成されていることによって、保護テープを剥がすとき、自然に小さい方の保護テープを先に剥がすことができ、使い勝手の極めて良い救急絆創膏を提供することができる。
【図面の簡単な説明】
【図１】本発明にかかる救急絆創膏の第１実施形態を示す斜視図である。
【図２】図１に示す救急絆創膏における保護テープを一部剥がした状態を示す斜視図である。
【図３】図２に示す救急絆創膏を貼り付ける操作の始めの段階を示す斜視図である。
【図４】図２に示す救急絆創膏を貼り付ける操作の中段を示す斜視図である。
【図５】本発明にかかる救急絆創膏の第２実施形態を示す斜視図である。
【図６】従来の救急絆創膏の斜視図である。
【図７】本発明にかかる救急絆創膏の第３実施形態を示す斜視図である。
【符号の説明】
１，５１，７１  救急絆創膏
２，５２  絆創膏本体
３，５３  粘着部
４，５４  患部対応部
５，５５  保護テープ
１０，７０  分割位置
７８  重なり部
【図１】
2005021542.tif 000003
【図２】
2005021542.tif 000004
【図３】
2005021542.tif 000005
【図４】
2005021542.tif 000006
【図５】
2005021542.tif 000007
【図６】
2005021542.tif 000008
【図７】
2005021542.tif 000009